(57)【要約】【課題】被写体を撮影する度にプロファイルを作成する必要がなく、被写体の色を忠実に表現する画像データを作成することができる画像処理装置等を提供することを課題とする。【解決手段】予め露出設定毎に作成された複数のプロファイルを用意しておき、その中から被写体を撮影した際の露出設定に基づいて最適なプロファイルを選択し、当該選択したプロファイルにより画像データを補正する。【選択図】図５
2014042205.tif 000002
【特許請求の範囲】
【請求項１】
カメラによりカラーチャートを異なる露出設定で撮影して得られた画像データに基づいて、当該露出設定毎に作成された複数のプロファイルを記憶するプロファイル記憶手段と、
平面部を有する被写体の当該平面部を前記カメラで撮影して得られた画像データを取得する画像データ取得手段と、
前記画像データ取得手段により取得された画像データが表す画像を撮影した際の露出設定を特定する露出特定手段と、
前記プロファイル記憶手段に記憶されている複数のプロファイルの中から、前記特定した露出設定と同じ露出設定で前記カラーチャートを撮影することにより作成されたプロファイルを選択するプロファイル選択手段と、
前記選択されたプロファイルを用いて、前記取得した画像データを補正し、補正済画像データを作成する補正済画像データ作成手段と、
を備えることを特徴とする画像処理装置。
【請求項２】
請求項１に記載の画像処理装置であって、
前記プロファイル記憶手段は、前記カラーチャートを撮影する際の前記露出設定をｎ段階変更して得られた画像データ毎に特定される色値と、前記カラーチャートを測色器により測色することにより特定される測色値に基づいて作成されたｎ個の前記プロファイルを記憶することを特徴とする画像処理装置。
【請求項３】
請求項２に記載の画像処理装置であって、
前記色値は、前記カラーチャートを撮影するカメラにおけるシャッタースピードの設定値を固定し、絞り値（F値）をｎ段階変更することにより、前記露出設定をｎ段階変更して得られた前記画像データ毎に特定されることを特徴とする画像処理装置。
【請求項４】
請求項２又は３に記載の画像処理装置であって、
ｎ段階分の前記色値と、前記測色値に基づいて、ｎ個の前記プロファイルを作成するプロファイル作成手段を、更に備えることを特徴とする画像処理装置。
【請求項５】
請求項１乃至４の何れか一項に記載の画像処理装置であって、
前記画像データ取得手段により取得される画像データには、当該画像データを撮影した際の露出設定を示す露出設定情報が関連付けられており、
前記露出特定手段は、画像データに関連付けられている露出設定情報を参照して、露出設定を特定することを特徴とする画像処理装置。
【請求項６】
画像処理装置により行われる画像処理方法であって、
平面部を有する被写体の当該平面部をカメラで撮影して得られた画像データを取得する画像データ取得工程と、
前記画像データ取得工程により取得した画像データが表す画像を撮影した際の露出設定を特定する露出特定工程と、
前記カメラによりカラーチャートを異なる露出設定で撮影して得られた画像データに基づいて、当該露出設定毎に作成された複数のプロファイルを記憶するプロファイル記憶手段に記憶されている複数のプロファイルの中から、前記特定した露出設定と同じ露出設定で前記カラーチャートを撮影することにより作成されたプロファイルを選択するプロファイル選択工程と、
前記選択されたプロファイルを用いて、前記取得した画像データを補正し、補正済画像データを作成する補正済画像データ作成工程と、
を含むことを特徴とする画像処理方法。
【請求項７】
カメラによりカラーチャートを異なる露出設定で撮影して得られた画像データに基づいて、当該露出設定毎に作成された複数のプロファイルを記憶するプロファイル記憶手段を備える画像処理装置に含まれるコンピュータを、
平面部を有する被写体の当該平面部を前記カメラで撮影して得られた画像データを取得する画像データ取得手段、
前記画像データ取得手段により取得された画像データが表す画像を撮影した際の露出設定を特定する露出特定手段、
前記プロファイル記憶手段に記憶されている複数のプロファイルの中から、前記特定した露出設定と同じ露出設定で前記カラーチャートを撮影することにより作成されたプロファイルを選択するプロファイル選択手段、
前記選択されたプロファイルを用いて、前記取得した画像データを補正し、補正済画像データを作成する補正済画像データ作成手段、
として機能させる画像処理プログラム。
【発明の詳細な説明】
【技術分野】
【０００１】
本発明は、被写体の色を忠実に再現する画像データを作成する装置等の技術分野に関する。
【背景技術】
【０００２】
従来、絵画などの美術品をデジタルカメラで撮影し、画像をウェブサイトに掲載したり、印刷したりするなど幅広く活用することが行われている。こうした美術品等を撮影した画像は、実物の色を忠実に再現することが求められる。ところが、一般的なデジタルカメラは実物より色を鮮やかにするなどの色調整を行っており、その調整度合いも機種或いはカメラメーカーによって異なっている。
【０００３】
そのため、デジタルカメラで撮影して得られた画像データに補正をかけることにより、実物の色を忠実に再現するという手法がとられている。例えば、特許文献１に記載の技術のように、カラーチャートを撮影して、プロファイル（LUT（Look up Table）を含む）を作成して被写体の色を測色的に精度よく得る方法が知られている。
【先行技術文献】
【特許文献】
【０００４】
【特許文献１】特開２００７−３２４９７０号公報
【発明の概要】
【発明が解決しようとする課題】
【０００５】
しかしながら、特許文献１に記載の技術などの従来技術では、被写体毎にカラーチャートを撮影してプロファイルを作成する必要がある。また、撮影時の露出設定を正確に行なわなければ、画像が明るくなったり暗くなったりしてしまい、美術品の色を忠実に表現できないという問題もある。したがって、被写体を撮影する度に正確に露出設定を行い、プロファイルを作成するという作業が必要となり、多数の被写体を撮影する場合に多大な労力を要していた。
【０００６】
本発明は、このような問題等に鑑みて為されたもので、被写体を撮影する度にプロファイルを作成する必要がなく、被写体の色を忠実に表現する画像データを作成することができる画像処理装置等を提供することを課題とする。
【課題を解決するための手段】
【０００７】
上記課題を解決するために、請求項１に記載の発明は、カメラによりカラーチャートを異なる露出設定で撮影して得られた画像データに基づいて、当該露出設定毎に作成された複数のプロファイルを記憶するプロファイル記憶手段と、平面部を有する被写体の当該平面部をカメラで撮影して得られた画像データを取得する画像データ取得手段と、前記画像データ取得手段により取得された画像データが表す画像を撮影した際の露出設定を特定する露出特定手段と、前記プロファイル記憶手段に記憶されている複数のプロファイルの中から、前記特定した露出設定と同じ露出設定で前記カラーチャートを撮影することにより作成されたプロファイルを選択するプロファイル選択手段と、前記選択されたプロファイルを用いて、前記取得した画像データを補正し、補正済画像データを作成する補正済画像データ作成手段と、を備えることを特徴とする画像処理装置である。
【０００８】
請求項２に記載の発明は、請求項１に記載の画像処理装置であって、前記プロファイル記憶手段は、前記カラーチャートを撮影する際の前記露出設定をｎ段階変更して得られた画像データ毎に特定される色値（例えば、RGB値）と、前記カラーチャートを測色器により測色することにより特定される測色値（例えば、L*a*b*値）に基づいて作成されたｎ個の前記プロファイルを記憶することを特徴とする。
【０００９】
請求項３に記載の発明は、請求項２に記載の画像処理装置であって、前記色値は、前記カラーチャートを撮影するカメラにおけるシャッタースピードの設定値を固定し、絞り値（F値）をｎ段階変更することにより、前記露出設定をｎ段階変更して得られた前記画像データ毎に特定されることを特徴とする。
【００１０】
請求項４に記載の発明は、請求項２又は３に記載の画像処理装置であって、ｎ段階分の前記色値と、前記測色値に基づいて、ｎ個の前記プロファイルを作成するプロファイル作成手段を、更に備えることを特徴とする。
【００１１】
請求項５に記載の発明は、請求項１乃至４の何れか一項に記載の画像処理装置であって、前記画像データ取得手段により取得される画像データには、当該画像データを撮影した際の露出設定を示す露出設定情報が関連付けられており、前記露出特定手段は、画像データに関連付けられている露出設定情報を参照して、露出設定を特定することを特徴とする。
【００１２】
請求項６に記載の発明は、画像処理装置により行われる画像処理方法であって、平面部を有する被写体の当該平面部をカメラで撮影して得られた画像データを取得する画像データ取得工程と、前記画像データ取得工程により取得した画像データが表す画像を撮影した際の露出設定を特定する露出特定工程と、前記カメラによりカラーチャートを異なる露出設定で撮影して得られた画像データに基づいて、当該露出設定毎に作成された複数のプロファイルを記憶するプロファイル記憶手段に記憶されている複数のプロファイルの中から、前記特定した露出設定と同じ露出設定で前記カラーチャートを撮影することにより作成されたプロファイルを選択するプロファイル選択工程と、前記選択されたプロファイルを用いて、前記取得した画像データを補正し、補正済画像データを作成する補正済画像データ作成工程と、を含むことを特徴とする。
【００１３】
請求項７に記載の発明は、カメラによりカラーチャートを異なる露出設定で撮影して得られた画像データに基づいて、当該露出設定毎に作成された複数のプロファイルを記憶するプロファイル記憶手段を備える画像処理装置に含まれるコンピュータを、平面部を有する被写体の当該平面部を前記カメラで撮影して得られた画像データを取得する画像データ取得手段、前記画像データ取得手段により取得された画像データが表す画像を撮影した際の露出設定を特定する露出特定手段、前記プロファイル記憶手段に記憶されている複数のプロファイルの中から、前記特定した露出設定と同じ露出設定で前記カラーチャートを撮影することにより作成されたプロファイルを選択するプロファイル選択手段、前記選択されたプロファイルを用いて、前記取得した画像データを補正し、補正済画像データを作成する補正済画像データ作成手段、として機能させる画像処理プログラムである。
【発明の効果】
【００１４】
本発明によれば、予め露出設定毎に作成されたプロファイルの中から選択された最適なプロファイルに基づいて、画像データが補正されることから、被写体を撮影する度にプロファイルを作成する必要がなく、被写体の色を忠実に表現する画像データを作成することができる。
【図面の簡単な説明】
【００１５】
【図１】画像処理装置１の機能を説明するための概念図である。
【図２】画像処理装置１の構成の一例を示すブロック図である。
【図３】（ａ）入力プロファイルＩＰＦ（スキャナプロファイル）の一例を示す図である。（ｂ）出力プロファイルＯＰＦ（カラースペースプロファイル）の一例を示す図である。
【図４】カラーチャート３３をカメラ３１で撮影する際のカメラ31等の配置の一例を示す図である。
【図５】画像処理装置１の制御部１１による画像補正処理の一例を示すフローチャートである。
【発明を実施するための形態】
【００１６】
以下、図面を参照して本発明の実施形態について説明する。本実施形態は本願発明を画像処理装置１に適用した実施形態である。
【００１７】
図１に示すように、本実施形態の画像処理装置１（「画像処理装置」の一例。）は、複数の入力プロファイルＩＰＦｎ（ｎ＝１，２，３，・・・、９）と、出力プロファイルＯＰＦを記憶している。本実施形態では、９個の入力プロファイルＩＰＦｎは、露出設定を９段階変更しながらカラーチャートを撮影して得られる画像データ（ピクセル毎にRGB値を保持するデータ）と、カラーチャートを測色計で測色することにより得られる測色値に基づいて作成される。画像処理装置１は、絵画（「被写体」の一例。）の絵が描かれている面（「平面部」の一例。）を撮影した画像データＢＤを取り込むと、入力プロファイルＩＰＦ及び出力プロファイルＯＰＦに基づいて補正した補正済画像データＡＤを作成する画像補正処理を行う。具体的には、画像処理装置１は、画像データＢＤ（ピクセル毎にRGB値を保持するデータ）を適切に選択した入力プロファイルＩＰＦを用いて中間データＭＤ（ピクセル毎にL*a*b*値を保持するデータ）を作成し、中間データＭＤを、出力プロファイルＯＰＦを用いて補正済画像データＡＤ（ピクセル毎にRGB値を保持するデータ）を作成する。
【００１８】
次に、図２を用いて画像処理装置１の構成について説明する。画像処理装置１は、制御部１１、記憶部１２、インターフェース部１３、表示部１４、及び操作部１５を備えている。
【００１９】
記憶部１２は、例えば、ＨＤＤ（Hard disk drive）等により構成されており、オペレーティングシステムや、アプリケーションプログラム等の各種プログラムを記憶する。特に、本実施形態の記憶部１２には、画像補正処理を行うためのアプリケーションプログラム（以下、「画像補正アプリ」という。）が記憶されている。なお、各種プログラムは、例えば、他のサーバ装置等からネットワークを介して取得されるようにしても良いし、ＣＤ（Compact Disc）、ＤＶＤ（Digital Versatile Disc）等の記録媒体に記録されてドライブ装置を介して読み込まれるようにしても良い。
【００２０】
また、記憶部１２（「プロファイル記憶手段」の一例。）は、入力プロファイルＩＰＦ１〜ＩＰＦ９と出力プロファイルＯＰＦを記憶する。
【００２１】
ここで、入力プロファイルＩＰＦｎと出力プロファイルＯＰＦについて説明する。入力プロファイルＩＰＦｎは、いわゆるスキャナプロファイルである。プロファイルは一般的に２つのLUTを保持する構造となっており、一つは色値をL*a*b*値に変換するLUT（AtoB）であり、もう一つはL*a*b*値を色値に変換するLUT（BtoA）である。図３（ａ）に示すように、スキャナプロファイル（入力プロファイルＩＰＦｎ）は、RGB値（「色値」の一例）をL*a*b*値に変換するLUT（AtoB）を保持する。
【００２２】
一方、出力プロファイルＯＰＦは、いわゆるカラースペースプロファイルである。図３（ｂ）に示すように、カラースペースプロファイル（出力プロファイルＯＰＦ）は、RGB値をL*a*b*値に変換するLUT（AtoB）と、L*a*b*値をRGB値に変換するLUT（BtoA）の値を保持するプロファイルである。なお、本実施形態における出力プロファイルＯＰＦとしては、従来公知のプロファイル（画像処理ソフトやカメラにインストールされているプロファイルや、メーカーのwebサイト等からダウンロード可能なプロファイル）を使用する。また、出力プロファイルＯＰＦには、国際電気標準会議（IEC）が定めた国際標準規格のsRGBか、Adobe Systemsが定めたAdobeRGBを使用することができる。
【００２３】
すなわち、画像処理装置１は、入力プロファイルＩＰＦｎのAtoBのLUTを用いて、画像データＢＤ（RGB値）から中間データＭＤ（L*a*b*値）に変換し、また、出力プロファイルＯＰＦのBtoAのLUTを用いて、中間データＭＤ（L*a*b*値）から補正済画像データＡＤ（RGB値）に変換する。
【００２４】
次に、入力プロファイルＩＰＦｎの作成方法について簡単に説明する。
【００２５】
まず、図４（Ａ）、（Ｂ）に示すようにカラーチャート３３（例えば、x-rite社の「カラーチェッカー SG」等を用いることができる。）をデジタルカメラ３１で撮影する。図４（Ａ）に示すようにカラーチャート３３に対して左４５度の位置と、右４５度の位置に光源３２Ｌ、３２Ｒが設けられており、光源３２Ｌ、３２Ｒがカラーチャート３３に光源ムラが起きないように均一に光を当てることとする。なお、光源ムラが起きていないかの判断は、カラーチャート３３の４隅に設けられたグレーパッチ（グレーを表すカラーパッチ）の各RGB値を、デジタルカメラ３１と接続したPC（Personal Computer）の表示部にて確認することにより行うことができる。すなわち、４隅のRGB値がほぼ同じ値であれば光源ムラが起きていないと判断することができる。また、照度計を用いて４隅の照度を測定し、ほぼ同じ値であれば光源ムラが起きていないと判断することもできる。
【００２６】
カラーチャート３３の撮影は露出設定を変えながら９段階分行う。具体的には、露出設定を、-2段、-1 1/2段、-1段、-1/2段、適正露出、+1/2段、+1段、+1 1/2段、+2段と変えて撮影を行う。露出設定の変更は、デジタルカメラ３１の絞り値（F値）を変更するにより行うことができる。このとき、シャッタースピードは一定（固定）とする。なお、適正露出は、白を表すカラーパッチのR値、G値、B値がそれぞれ約240となるような露出とする。
【００２７】
９段階分の撮影が完了したら、それぞれの画像データを画像処理装置１に取り込む。
【００２８】
次に、カラーチャート３３に光源ムラが起きないように均一に光を当てた状態で、カラーチャート３３における各カラーパッチの測色値であるL*a*b*値（「第２の測色値」の一例。）を、測色計を用いて測定する。測定したL*a*b*値は、画像処理装置１に取り込む。
【００２９】
次に、画像処理装置１に取り込んだ９段階分の画像データのRGB値と、測色計で測色したL*a*b*値の対応関係から、９段階分の入力プロファイルＩＰＦ１〜ＩＰＦ９を作成する。入力プロファイルＩＰＦｎの作成には、従来公知のプロファイル作成ソフト（例えば、x-rite社のProfileMaker）を用いることができる。プロファイル作成ソフトでは、ユーザが、作成するプロファイルの種類として「スキャナ」を選択し、カラーチャート３３の画像データと、予め測色計で測定したカラーチャート３３のL*a*b*値を取り込んだ後に、プロファイル作成ボタンを選択することにより、画像データのRGB値とL*a*b*値の対応関係からプロファイルが作成される。こうして作成された入力プロファイルＩＰＦ１〜ＩＰＦ９は、記憶部１２に記憶させておく。
【００３０】
インターフェース部１３は他の装置や機器との間で送受信されるデータの窓口の役割を果たす。例えば、インターフェース部１３は、図示しないデジタルカメラが撮影した画像データを受信する際のデータ変換等や、図示しない測色器から得られた測色値データを受信する際のデータ変換等を行う。
【００３１】
表示部１４は、例えば、液晶ディスプレイ等により構成されており、オペレータが画像処理装置１を操作する際の操作画面等を表示する。また、操作部１５は、例えば、キーボードやマウス等により構成されており、オペレータの操作を受け付け、操作内容を示す操作信号を制御部１１に送信する。
【００３２】
制御部１１は、ＣＰＵ（Central Processing Unit）、ＲＯＭ（Read Only Memory）、ＲＡＭ（Random Access Memory）等により構成されている。そして、コンピュータとしての制御部１１は、記憶部１２に記憶された画像補正アプリを読み出して実行することにより、画像補正処理を行う。なお、制御部１１は、画像データ取得手段、露出特定手段、プロファイル選択手段、補正済画像データ作成手段、プロファイル作成手段として機能する。
【００３３】
次に、図５を用いて、制御部１１による画像補正処理について説明する。なお、図５に示す処理が開始される前までに、入力プロファイルＩＰＦ１〜ＩＰＦ９及び出力プロファイルＯＰＦを記憶部１２に記憶させておくこととする。
【００３４】
まず、制御部１１は、デジタルカメラ３１で絵画を撮影して得られた画像データＢＤを取得する（ステップＳ１）。絵画の撮影時には、絵画に用いられる白部分や黒部分の面積の大きさに応じて露出設定を変えて撮影することができる。このとき、露出を厳密に測定する必要は無く、常識の範囲内で適宜露出設定を決定することができる。但し、シャッタースピードは、カラーチャート３３を撮影した際と同じ設定とする。また、画像データＢＤには、絵画を撮影した際の絞り値（F値）を示す絞り値情報（「露出設定情報」の一例。）を関連付けておくこととする。絞り値情報は画像データＢＤに埋め込むこととしてもよいし、その他の形式で関連付けておくこととしてもよい。なお、制御部１１は、ステップＳ１の処理において、画像データＢＤとともに当該画像データＢＤと関連付けられている絞り値情報を取得することとする。
【００３５】
次に、制御部１１は、画像データＢＤの表す画像を撮影した際の露出設定を特定する（ステップＳ２）。具体的には、制御部１１は、ステップＳ１の処理で取得した画像データＢＤと関連付けられている絞り値情報を参照し、絞り値（F値）を特定する。
【００３６】
次に、制御部１１は、記憶部１２に記憶されている入力プロファイルＩＰＦ１〜ＩＰＦ９の中から適切な入力プロファイルを選択する（ステップＳ３）。具体的には、制御部１１は、ステップＳ２の処理で特定した絞り値（F値）と同じ絞り値（F値）でカラーチャートを撮影して得た入力プロファイルＩＰＦを選択する。例えば、ステップＳ２の処理で特定した絞り値（F値）がF4.0であった場合であれば、絞り値（F値）をF4.0に設定してカラーチャートを撮影することにより作成した入力プロファイルＩＰＦを選択する。
【００３７】
次に、制御部１１は、ステップＳ３の処理で選択した入力プロファイルＩＰＦと出力プロファイルＯＰＦを用いて、ステップＳ１の処理で取得した画像データＢＤを補正し、補正済画像データＡＤを作成する（ステップＳ４）。
【００３８】
次に、制御部１１は、ステップＳ４の処理で作成した補正済画像データＡＤを記憶部１２に記録（保存）して（ステップＳ５）、本フローチャートに示す画像補正処理を終了する。
【００３９】
以上説明したように、本実施形態の画像処理装置１は、記憶部１２が、デジタルカメラ３１（「カメラ」の一例。）によりカラーチャート３３を異なる露出設定で撮影して得られた画像データに基づいて、当該露出設定毎に作成された複数のプロファイルＩＰＦを記憶し、制御部１１（「画像データ取得手段」、「露出特定手段」、「プロファイル選択手段」、「補正済画像データ作成手段」の一例。）が、絵画（「被写体」の一例。）の絵が描かれている面（「平面部」の一例。）をデジタルカメラ３１で撮影して得られた画像データＢＤを取得し、画像データＢＤが表す画像を撮影した際の露出設定を特定し、記憶部１２に記憶されている複数のプロファイルＩＰＦの中から、特定した露出設定と同じ露出設定でカラーチャート３３を撮影することにより作成されたプロファイルＩＰＦを選択し、選択したプロファイルＩＰＦを用いて、画像データＢＤを補正し、補正済画像データＡＤを作成する。
【００４０】
本実施形態の画像処理装置１によれば、予め露出設定毎に作成された入力プロファイルＩＰＦの中から選択された最適な入力プロファイルＩＰＦに基づいて、画像データＢＤが補正されることから、絵画を撮影する度に入力プロファイルＩＰＦを作成する必要がなく、絵画の色を忠実に表現する補正済画像データＡＤを作成することができる。
【００４１】
なお、本発明は本実施形態に限定されるわけではなく、その他種々の変更が可能である。
【００４２】
また、本実施形態では、図５のステップＳ３の処理において、ステップＳ２の処理で特定した絞り値（F値）と同じ絞り値（F値）でカラーチャートを撮影して得た入力プロファイルＩＰＦを選択することとしているが、例えば、ステップＳ２の処理で特定した絞り値（F値）が、カラーチャートを撮影した際の絞り値（F値）と一致しない場合には、最も値が近い絞り値（F値）でカラーチャートを撮影して得た入力プロファイルＩＰＦを選択することとする。これにより、絵画を撮影する際に、カラーチャートを撮影した際の何れかの絞り値（F値）と同じ絞り値（F値）で撮影しなければならないという制限がなくなり、絵画を撮影する際の自由度が増す。
【００４３】
さらに、本実施形態では、記憶部１２は、露出設定を９段階変更しながらカラーチャートを撮影して得られた測色値に基づいて作成された９個のプロファイルＩＰＦを記憶することとしたが、プロファイルＩＰＦの数ｎは適宜変更することができる。その場合には、作成するプロファイルＩＰＦの数ｎに応じて、露出設定をｎ段階変更しながらカラーチャートを撮影して得られた測色値に基づいてプロファイルＩＰＦを作成することとする。
【００４４】
さらにまた、本実施形態では、シャッタースピードを固定とし、絞り値（F値）を複数段階（本実施形態では９段階）変更することにより複数段階の露出設定を規定することとしたが、シャッタースピード及び絞り値（F値）を変更することにより複数段階の露出設定を規定することとしてもよい。露出はシャッタースピードと絞り値（F値）の組合せで定まることから、シャッタースピードと絞り値（F値）の組合せ毎に、露出設定を複数段階規定することができる。当該構成とする場合、当該組合せ毎に、入力プロファイルＩＰＦを作成して記憶部１２に記憶させることとする。また、絵画の撮影時には、シャッタースピードと絞り値（F値）を示す露出情報を、画像データＢＤと関連付けることとする。制御部１１は、ステップＳ２の処理では、当該露出情報を参照して露出設定を特定し、ステップＳ３の処理では、特定した露出設定と同じ露出設定で作成された入力プロファイルＩＰＦを選択することとする。
【符号の説明】
【００４５】
１  画像処理装置
１１  制御部
１２  記憶部
１３  インターフェース部
１４  表示部
１５  操作部
ＢＤ  画像データ
ＡＤ  補正済画像データ
【図１】
2014042205.tif 000003
【図２】
2014042205.tif 000004
【図３】
2014042205.tif 000005
【図４】
2014042205.tif 000006
【図５】
2014042205.tif 000007